(57)【要約】【課題】  本発明は潅水のクラスターを小さくして殺菌をともなう浄化が可能な鉱石を通過させることによって活性水とすることにより、農作物への付着性の向上により殺菌効果が得られ、土壌中の養分や微量要素を効率よく溶解させて吸収させたり、土壌中のバクテリアを活性化繁殖させることができ、かつ農薬の使用量を著しく低減させることができる潅水活性器を得るにある。【解決手段】潅水ホースに接続される活性パイプ中を流れる潅水を渦巻き状態にする活性パイプ中に設けられた渦巻き発生羽根と、活性パイプ中を流れる渦巻き状態の潅水のクラスターをより小さくするように磁界を形成する活性パイプに取付けられた複数対の磁石と、活性パイプの下流部に取付けられた活性パイプよりクラスターが小さくなった潅水を渦巻き状態で流入して排水口より排出できるトルマリン、麦芽石、美人石、医王石等の少なくとも潅水の殺菌をともなう浄化が可能な鉱石が収納された鉱石収納ケースとで潅水活性器を構成している。【選択図】  図１
2006025602.tif 000002
【特許請求の範囲】
【請求項１】
潅水ホースに接続される活性パイプと、この活性パイプ中を流れる潅水を渦巻き状態にする、該活性パイプ中に設けられた渦巻き発生羽根と、前記活性パイプ中を流れる渦巻き状態の潅水のクラスターをより小さくするように磁界を形成する、該活性パイプに取付けられた複数対の磁石と、前記活性パイプの下流部に取付けられた、該活性パイプよりクラスターが小さくなった潅水を渦巻き状態で流入して排水口より排出できるトルマリン、麦芽石、美人石、医王石等の少なくとも潅水の殺菌をともなう浄化が可能な鉱石が収納された鉱石収納ケースとからなることを特徴とする潅水活性器。
【請求項２】
潅水ホースに接続される活性パイプと、この活性パイプ中を流れる潅水を渦巻き状態にする、該活性パイプの上流中に設けられた渦巻き発生羽根と、前記活性パイプ中を流れる渦巻き状態の潅水のクラスターを小さくするように磁界を形成する、該活性パイプに取付けられた複数対の磁石と、前記活性パイプの下流中に取付けられた渦巻き発生羽根と、前記活性パイプの下流に分解室を介して取付けられた、該活性パイプよりクラスターが小さくなった潅水を渦巻き状態で分解室へ流入し、該分解室よりトルマリン、麦芽石、美人石、医王石等の少なくとも潅水の殺菌をともなう浄化が可能な鉱石が収納された鉱石収納室に渦巻き状態で収納され、排出口より排出される鉱石収納ケースとからなることを特徴とする潅水活性器。
【発明の詳細な説明】
【技術分野】
【０００１】
本発明は農作物を生産する場合の潅水に使用する潅水活性器に関する。
【背景技術】
【０００２】
従来、農作物への潅水は地下水あるいは農業用水をポンプで吸い上げ、潅水ホースで散水して行なっている。
【０００３】
このため、従来の潅水は農作物への単なる水分の補給だけで、殺菌効果や土壌中の養分や微量要素を効率よく溶解させたり、土壌中のバクテリアを活性化繁殖させたりすることができないという欠点があった。
【特許文献１】特になし
【発明の開示】
【発明が解決しようとする課題】
【０００４】
本発明は以上のような従来の欠点に鑑み、潅水のクラスターを小さくして殺菌をともなう浄化が可能な鉱石を通過させることによって活性水とすることにより、農作物への付着性の向上により殺菌効果が得られ、土壌中の養分や微量要素を効率よく溶解させて吸収させたり、土壌中のバクテリアを活性化繁殖させることができ、かつ農薬の使用量を著しく低減させることができる潅水活性器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は潅水ホースに接続される活性パイプと、この活性パイプ中を流れる潅水を渦巻き状態にする、該活性パイプ中に設けられた渦巻き発生羽根と、前記活性パイプ中を流れる渦巻き状態の潅水のクラスターをより小さくするように磁界を形成する、該活性パイプに取付けられた複数対の磁石と、前記活性パイプの下流部に取付けられた、該活性パイプよりクラスターが小さくなった潅水を渦巻き状態で流入して排水口より排出できるトルマリン、麦芽石、美人石、医王石等の少なくとも潅水の殺菌をともなう浄化が可能な鉱石が収納された鉱石収納ケースとで潅水活性器を構成している。
【発明の効果】
【０００７】
以下の説明から明らかなように、本発明にあっては次に列挙する効果が得られる。
【０００８】
（１）潅水ホースに接続される活性パイプと、この活性パイプ中を流れる潅水を渦巻き状態にする、該活性パイプ中に設けられた渦巻き発生羽根と、前記活性パイプ中を流れる渦巻き状態の潅水のクラスターをより小さくするように磁界を形成する、該活性パイプに取付けられた複数対の磁石と、前記活性パイプの下流部に取付けられた、該活性パイプよりクラスターが小さくなった潅水を渦巻き状態で流入して排水口より排出できるトルマリン、麦芽石、美人石、医王石等の少なくとも潅水の殺菌をともなう浄化が可能な鉱石が収納された鉱石収納ケースとで構成されているので、潅水を渦巻き状態で磁界中を通過させることができる。
したがって、潅水のクラスターをより小さくすることができ、農作物への付着性の向上を図ることができる。
【０００９】
（２）前記（１）により、クラスターが小さくなった潅水を殺菌をともなう浄化が可能な鉱石を渦巻き状態で流入し、排出口より排出させることができる。
したがって、クラスターが小さくなった潅水に鉱石の殺菌をともなう浄化成分が溶出するため、殺菌をともなう浄化作用を得ることができ、農薬の使用量を著しく低減することができる。
【００１０】
（３）前記（１）によって、潅水のクラスターが小さいので土壌中の養分や微量要素を効率よく溶解するとともに、土壌中のバクテリアも活性化繁殖させることができ、農作物の根からの養分の吸収を効率よくでき、成長の促進を図ることができる。
【００１１】
（４）前記（１）、（２）により、食生活に安全な農作物の生産を行なうことができる。
【００１２】
（５）前記（１）により、潅水ホースに接続して使用することができるので、容易に使用することができるとともに、電気等のエネルギーを用いなくてもよいので、経済的に使用することができる。
【００１３】
（６）請求項２も前記（１）〜（５）と同様な効果が得られる。
【発明を実施するための最良の形態】
【００１４】
以下、図面に示す本発明を実施するための最良の形態により、本発明を詳細に説明する。
【００１５】
図１ないし図７に示す本発明を実施するための最良の第１の形態において、１は農作物に潅水を行なう場合に使用する本発明の潅水活性器で、この潅水活性器１は潅水ホース２に接続される活性パイプ３と、この活性パイプ３中を流れる潅水４を渦巻き状態にする、該活性パイプ３の上流部内に設けられた渦巻き発生羽根５と、前記活性パイプ３の上流部と下流部を除く部位の外周部に所定間隔で設けられた、該活性パイプ３中を流れる渦巻き状態の潅水のクラスターを小さくするように磁界を形成する複数対の磁石６、７と、前記活性パイプ３の下流部内に設けられたクラスターが小さくなった潅水４Ａを渦巻き状態で外部へ排出する渦巻き発生羽根８と、前記活性パイプ３の下流部の外周部を覆う分解室９および、該分解室９よりも大きな鉱石収納室１０が形成された鉱石収納ケース１１と、この鉱石収納ケース１１の鉱石収納室１０内に設けられた、前記分解室９からのクラスターが小さくなった渦巻き状の潅水４Ａを渦巻き状態で該鉱石収納室１０内へ排出する複数個の噴射口１２が設けられたノズル１３と、前記鉱石収納室１０内に収納されたトリマリン、麦芽石、美人石、医王石等の殺菌をともなう浄化が可能な鉱石１４と、前記鉱石収納ケース１１の開口端部に設けられる、前記鉱石１４の流出を阻止する多孔板１５と、前記鉱石収納ケース１１の開口端部に形成されたねじ部１６と螺合するねじ部１７が形成された潅水ホースや潅水ノズル等に接続される接続パイプ１８と、前記活性パイプ３の上流部と下流部の外周部を覆う、前記鉱石収納ケース１１と一体形成されたカバー筒１９とで構成されている。
【００１６】
上記構成の潅水活性器１は、農作物に潅水する潅水ホース２に介装することにより、潅水ホース２で供給される潅水４は活性パイプ３の渦巻き発生羽根５によって、渦巻き状態で活性パイプ３中を流れる。
この時、複数対の磁石６、７による磁界中を通過するため、潅水のクラスターを小さくできる。
【００１７】
クラスターが小さくなった潅水４Ａは渦巻き発生羽根８で渦巻き状態で分解室９へ流入し、ノズル１３でさらに渦巻き状態で鉱石収納室１０内へ流入し、多孔板１５、接続パイプ１８を通過して、潅水ホースや潅水ノズルより農作物に潅水される。
この時、クラスターが小さくなった潅水４Ａが鉱石収納室１０内を通過する場合、該鉱石収納室１０内の鉱石１４より、該鉱石１４に含まれている殺菌をともなう浄化成分やミネラル成分等を溶解して、クラスターが小さくなった潅水４Ｂに含まれた状態で排出される。
【００１８】
このため、本発明の潅水活性器１を通過させる潅水４はクラスターが小さく、殺菌をともなう浄化成分とミネラル成分等が含まれた潅水４Ｂとなる。
このような潅水４Ｂは表面張力が極めて小さく、微粒子となるため、農作物への付着性がよく、大幅に農薬の使用量を低減させることができるとともに、土壌中の養分や微量要素を容易に溶解し、土壌中のバクテリアも活性化繁殖させるため、農作物の根からの養分の吸収をすこぶる良好に行なわせることができる。
［発明を実施するための異なる形態］
【００１９】
次に、図８ないし図１２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図８および図９に示す本発明を実施するための第２の形態において、前記本発明を実施するための最良の第１の形態と主に異なる点は、活性パイプ３の外周部を熱収縮チューブを用いたカバー筒１９Ａで覆った点で、このように構成した潅水活性器１Ａにしても、前記本発明を実施するための最良の第１の形態と同様な作用効果が得られる。
【００２１】
図１０ないし図１２に示す本発明を実施するための第３の形態において、前記本発明を実施するための第２の形態と主に異なる点は、活性パイプ３内を渦巻き状態で潅水４を流すことができるように、断面形状が十字状で螺旋形状に曲げられた渦巻き発生羽根２０を内部に設けた点で、このように構成した潅水活性器１Ｂにしても、前記本発明を実施するための第２の形態と同様な作用効果が得られる。
【産業上の利用可能性】
【００２２】
本発明は農作物に潅水する場合に使用される潅水活性器を製造する産業で利用される。
【図面の簡単な説明】
【００２３】
【図１】本発明を実施するための最良の第１の形態の断面図。
【図２】図１の２−２線に沿う拡大断面図。
【図３】図１の３−３線に沿う拡大断面図。
【図４】図１の４−４線に沿う拡大断面図。
【図５】図１の５−５線に沿う拡大断面図。
【図６】本発明を実施するための最良の第１の形態のノズルの説明図。
【図７】本発明を実施するための最良の第１の形態の使用状態の説明図。
【図８】本発明を実施するための第２の形態の断面図。
【図９】図８の９−９線に沿う拡大断面図。
【図１０】本発明を実施するための第３の形態の断面図。
【図１１】図１０の１１−１１線に沿う拡大断面図。
【図１２】本発明を実施するための第３の形態の渦巻き発生羽根の説明図。
【符号の説明】
【００２４】
１、１Ａ、１Ｂ：潅水活性器、        ２：潅水ホース、
３：活性パイプ、                    ４、４Ａ、４Ｂ：潅水、
５：渦巻き発生羽根、                ６：磁石、
７：磁石、                          ８：渦巻き発生羽根、
９：分解室、                              １０：鉱石収納室、
１１：鉱石収納ケース、              １２：噴射口、
１３：ノズル、                      
１４：殺菌をともなう浄化が可能な鉱石、
１５：多孔板、                      １６：ねじ部、
１７：ねじ部、                      １８：接続パイプ、
１９、１９Ａ：カバー筒、                  ２０：渦巻き発生羽根。
【図１】
2006025602.tif 000003
【図２】
2006025602.tif 000004
【図３】
2006025602.tif 000005
【図４】
2006025602.tif 000006
【図５】
2006025602.tif 000007
【図６】
2006025602.tif 000008
【図７】
2006025602.tif 000009
【図８】
2006025602.tif 000010
【図９】
2006025602.tif 000011
【図１０】
2006025602.tif 000012
【図１１】
2006025602.tif 000013
【図１２】
2006025602.tif 000014